(57)【特許請求の範囲】
【請求項１】
視覚障害者と健常者のための装置であって、
前記健常者が視認可能なように展示室内に配置された動物の剥製の展示物と、
前記展示物に沿い且つ該展示物に対して所定距離離間して案内するための手すりと、
前記手すりに配置された台座に設けられ前記動物に対応した大きさと形状とを備えたレプリカと、
前記台座に設けられ前記レプリカに対応する動物の鳴き声および前記動物の形態等の解説の少なくともいずれか一方を音声で表示する音声表示装置と、
前記台座近傍の手すりに設けられ少なくとも前記レプリカの種類、数、展示方法のいずれかが点字で表示された表示板と、
を備え、前記表示板は、前記視覚障害者が前記手すりに手を架けたときに該視覚障害者の指の先端に触れる位置に設けられていることを特徴とする展示物接触認識装置。
【発明の詳細な説明】
【０００１】
【発明の属する技術分野】
本発明は、少なくとも、視覚障害者が木彫または樹脂等で成形された動物のレプリカに触り、該動物の鳴き声および解説のいずれかを聞くことが可能であるとともに、点字等で表示される解説を読み、該動物に関連した学習をすることができる展示物接触認識装置に関する。
【０００２】
【従来の技術】
従来、展示室に展示されている鳥獣等の剥製の展示物は、長期間にわたる品質保持のため見学者が触ることができないようにガラス板や透明な樹脂板により遮蔽されている。
【０００３】
【発明が解決しようとする課題】
このため、視覚障害者は、博物館で実際の展示物に触って動物の形状、大きさ等を感得することが困難であった。特に、展示物が剥製である場合には、経年変化によってその大きさが小さくなったり、あるいは損傷が激しく実体を反映しない状態に変化してしまうという不具合がある。さらに、動物の鳴き声や、動物の解説等を吹き込んだテープ、ＣＤ等が設置されていないために、より深く該動物について学習することは不可能であった。
【０００４】
本発明は、前記の不都合を克服するためになされたもので、動物の鳴き声や動物の解説等を点字または音声で表示するとともに木彫、樹脂等で成形された動物のレプリカに触れて、動物の鳴き声、形状、大きさ等から多面的に動物についての学習を行うことが可能な視覚障害者のための展示物接触認識装置を提供することを目的とする。勿論、前記展示物接触認識装置は健常者にも利用可能である。
【０００５】
【課題を解決するための手段】
前記の目的を達成するために、本発明は、視覚障害者と健常者のための装置であって、
前記健常者が視認可能なように展示室内に配置された動物の剥製の展示物と、
前記展示物に沿い且つ該展示物に対して所定距離離間して案内するための手すりと、
前記手すりに配置された台座に設けられ前記動物に対応した大きさと形状とを備えたレプリカと、
前記台座に設けられ前記レプリカに対応する動物の鳴き声および前記動物の形態等の解説の少なくともいずれか一方を音声で表示する音声表示装置と、
前記台座近傍の手すりに設けられ少なくとも前記レプリカの種類、数、展示方法のいずれかが点字で表示された表示板と、
を備え、前記表示板は、前記視覚障害者が前記手すりに手を架けたときに該視覚障害者の指の先端に触れる位置に設けられていることを特徴とする。
【０００６】
本発明によれば、視覚障害者が動物の鳴き声、その動物に関する解説を聞き且つレプリカに直接触れて、動物の形状や大きさ等を認識することにより、該動物への理解をさらに深めることができる。この場合、木彫、樹脂製等の動物のレプリカに予め彩色をしておくと、健常者が視覚障害者等に対して該レプリカと対比しながら該動物についてより詳細に説明することができ、好適である。
【０００７】
この場合、前記ガイド部材は、前記レプリカの配列に沿って配置され、前記レプリカに対応する動物の解説を点字または音声で表示する表示機器を備えるので、視覚障害者の安全が確保されるとともに、動物の種類、生息地帯等の該動物に関連する事項について学習することができるので、一層好適である。
【０００８】
さらに、前記音声表示装置は、動物の鳴き声を音声で表示する鳴き声発声装置と、前記動物の形態等の情報を解説する解説装置の少なくともいずれか一方を備えると、該動物の特徴をより明確に把握することができ、好ましい。
【０００９】
この場合、前記レプリカが台座に配置されていると安定した状態に保持され、しかも前記台座がガイド部材に取着されていると、レプリカが一定の高さに配置され、視覚障害者は一定の姿勢でレプリカに触れることができるので、さらに好適である。
【００１０】
さらに、一連に配列されたレプリカに沿って歩行することにより安全性が確保され且つ該レプリカを複数個、例えば、種、目毎に関連させて配置すると、種、目等に共通の特徴を学習することが可能となり、一層好ましい。
【００１１】
【発明の実施の形態】
本発明に係る展示物接触認識装置について、好適な実施の形態を挙げ、添付の図面を参照しながら、以下、詳細に説明する。
【００１２】
本発明の第１の実施の形態に係る展示物接触認識装置１０の構成を図１〜図４に示す。例えば、この第１の実施の形態において博物館、図書館等の展示室１２は鳥の剥製の展示物（図示せず）が収容された展示ケース１４を有する。この展示ケース１４に近接して手すり（ガイド部材）１６が設置される。前記手すり１６は、展示ケース１４に対して所定間隔離間して該展示ケース１４に沿って矢印Ａ方向および矢印Ｂ方向に略平行に張り巡らされ、床面１８に固設された支柱２０により所定の高さに保持されている。前記手すり１６は、視覚障害者２２がこの手すり１６に触れることにより展示室１２の順路の確認および視覚障害者２２を展示ケース１４に極度に接近することがないように保護する機能を備える。このため、視覚障害者２２が手すり１６に触りながら展示室１２内を安心して巡ることができる。さらに、手すり１６には、その場所に対応する展示ケース１４内に収容された鳥の剥製に対応するレプリカの種類、数および展示方法、例えば、鳥の生息地帯を山里、川および海等に分けて展示されていることを点字で表示する表示板（表示機器）２４ａ〜２４ｃが設置されている。この場合、前記表示板２４ａ〜２４ｃは、視覚障害者２２が手すり１６に手を架けたときに、視覚障害者２２の指の先端に触れる位置に設けられていると、視覚障害者２２が手すり１６を介して該表示板２４ａ〜２４ｃに触れて、該点字を好適に読むことができる。
【００１３】
また、図２〜図４に示されるように、手すり１６には、後述する鳥像２６ａ〜２６ｆを着脱自在に設置する台座２８ａ〜２８ｆ（図２〜図４では２８ａのみを表示）が取着される。前記台座２８ａ〜２８ｆを必要に応じて他の鳥像と交換可能にするためである。ここで、前記鳥像２６ａ〜２６ｆとは木彫または樹脂等で成形された鳥の形状であって、該展示ケース１４に収容されている鳥の剥製に対応するレプリカをいう。
【００１４】
このため、台座２８ａ〜２８ｆに着座する鳥像２６ａ〜２６ｆの位置は、展示ケース１４に収容されている鳥の剥製（図示せず）に対応するように、該鳥の剥製の前に近接して配置されていると好適である（図１参照）。勿論、鳥の剥製が存在しない場合であっても、鳥像２６ａ〜２６ｆのみで視覚障害者に十分な情報を与えることができるが、剥製があれば健常者にとっても好適である。
【００１５】
前記台座２８ａ〜２８ｆの上板３０ａ〜３０ｆ（図２〜図４では３０ａのみを表示）には、該台座２８ａ〜２８ｆに着座する鳥像２６ａ〜２６ｆに関する解説、例えば、学術的分類、大きさ、棲息地および渡りの季節等を点字で解説する解説板３２ａ〜３２ｆ（図２〜図４では３２ａのみを表示）を着脱自在に取り付ける。
【００１６】
また、鳥像２６ａ〜２６ｆは、弱視者が認識できるように、あるいは健常者が視覚障害者に対して解説するために実物に対応した彩色を施しておく。特に、羽の配列、色等を解説すると、視覚障害者の一層の理解が進み、好適である。鳴き声発生装置３４ａ〜３４ｆ（図２〜図４では３４ａのみを表示）は鳥像２６ａ〜２６ｆの鳴き声の種類、例えば、地鳴き、求愛時の鳴き声、季節によって変わる鳴き声等を提供するものであり、解説装置３６ａ〜３６ｆ（図２〜図４では３６ａのみを表示）は鳥像２６ａ〜２６ｆの鳴き声を解説するとともに、鳥像２６ａ〜２６ｆに関する情報、例えば、前記鳥像に対する鳥の名前が出てくる著名な小説、詩、短歌の紹介等を音声により表示する。従って、前記鳴き声発生装置３４ａ〜３４ｆ、解説装置３６ａ〜３６ｆはその内部に前記鳴き声、鳥像に関する情報が記録された媒体（テープ、ＣＤ等）と、その駆動機構を含む。
【００１７】
前記鳴き声発生装置３４ａ〜３４ｆと解説装置３６ａ〜３６ｆは台座２８ａ〜２８ｆの内部に設けられる。参照符号３８ａ〜３８ｆ（図２、図３では３８ａのみを表示）は、上板３０ａ〜３０ｆに取着されたスピーカーを示し、該スピーカー３８ａ〜３８ｆは前記声発生装置３４ａ〜３４ｆおよび解説装置３６ａ〜３６ｆに接続されている。なお、鳴き声発生装置３４ａ〜３４ｆおよび解説装置３６ａ〜３６ｆに、特に受信装置を設けておき、無線で提供される情報を前記受信装置で受信し、該受信装置から前記鳴き声、解説に係るデータを音声に変えて出力してもよい。
【００１８】
前記鳴き声発声装置３４ａ〜３４ｆ、解説装置３６ａ〜３６ｆのそれぞれをＯＮ−ＯＦＦする鳴き声スイッチ４０ａ〜４０ｆ（図２〜図４では４０ａのみを表示）、解説スイッチ４２ａ〜４２ｆ（図２〜図４では４２ａのみを表示）が台座２８ａ〜２８ｆの上板３０ａ〜３０ｆに設けられる。この場合、鳴き声スイッチ４０ａ〜４０ｆ、解説スイッチ４２ａ〜４２ｆの機能は点字で説明するとともに、前記鳴き声スイッチ４０ａ〜４０ｆ、解説スイッチ４２ａ〜４２ｆは必要に応じて、適宜に同時操作もしくはどちらか一方を操作して、鳴き声もしくは解説を聞くことが可能である。
【００１９】
なお、鳴き声発生装置３４ａ〜３４ｆ、解説装置３６ａ〜３６ｆの記録部材の交換は、鳥像２６ａ〜２６ｆの交換とともに行われる。
【００２０】
本発明の第１の実施の形態に係る展示物触認識装置１０は、基本的には以上のように構成されるものであり、次にその作用効果について説明する。
【００２１】
図１に示されるように、展示室１２の設置した手すり１６には、表示板２４ａにより、例えば、生息地帯が山里であることを表示し、表示板２４ｂでは生息地帯が川であることを表示し、さらに表示板２４ｃにより海であることが表示される。生息地帯が表示される手すり１６の範囲に、その生息地帯の鳥に対応する鳥像２６ａ〜２６ｆが配置される。すなわち、表示板２４ａの表示による山里の範囲には、例えば、鳥像２６ａ、２６ｂ、表示板２４ｂの表示による山里の範囲には鳥像２６ｃ、２６ｄ、表示板２４ｃの表示による海の範囲には鳥像２６ｅ、２６ｆのそれぞれが、展示室１２に配列されている鳥の剥製の展示物の前に配置されている。
【００２２】
このように展示された展示室１２に視覚障害者２２が入り、手すり１６に触れながら矢印Ａ方向に沿って進むと、先ず表示板２４ａに触れる。そして、表示板２４ａに表示された点字により、視覚障害者２２は生息地帯が山里であることを確認する。次いで、鳥像２６ａに触れて形状、大きさ等を学習するとともに、解説板３２ａに触れて鳥像２６ａに関する解説等を読んで理解することができる。
【００２３】
また、点字が読めない人、または点字が読める人であっても必要に応じては鳴き声スイッチ４０ａ、解説スイッチ４２ａのそれぞれを押して、鳴き声発声装置３４ａ、解説装置３６ａによりスピーカー３８ａから鳥像２６ａに関する説明を聞いて学習することができる。続いて、視覚障害者２２は鳥像２６ｂに触れて、前記鳥像２６ａと同じように山里に棲む鳥の学習をすることができる。
【００２４】
次いで、視覚障害者２２は、手すり１６を介して表示板２４ｂに触れて、川の生息地帯に来たことを確認する。そして、鳥像２６ｃ、２６ｄに触れて川に棲む鳥について学習することができる。さらに、矢印Ｂ方向に進んで表示板２４ｃに触れて海の生息地帯に来たことを確認するとともに、鳥像２６ｅ、２６ｆに触れて海に棲む鳥の学習をすることができる。
【００２５】
この第１の実施の形態では、生息地帯毎に鳥像２６ａ〜２６ｆを配置したが、生息地帯の異なる一つの鳥の成長課程を手すり１６に設置して学習することも可能である。
【００２６】
また、この第１の実施の形態では、健常者が視覚障害者に対して鳥像をより詳細に説明することができ、さらには健常者が視覚障害者とともに学習することができる。さらに、この第１の実施の形態では、鳥のレプリカを例示して説明したが、鳥以外の動物、例えば、昆虫、獣、魚等のレプリカを製作しておけば、これらについても学習することができる。
【００２７】
さらにまた、健常者も前記レプリカによって視覚障害者とともに学習することができる。
【００２８】
本発明の第１の実施の形態に係る展示物接触認識装置１０は、鳥獣、昆虫等の剥製に対応するレプリカを配置することにより、視覚障害者が該レプリカに触れ、前記鳥獣、昆虫等の解説、鳴き声を聞いてこれらの鳥獣、昆虫等について容易に理解を深めることができる。
【００２９】
次に、本発明の第２の実施の形態の展示物接触認識装置５０の構成を図５〜図８に示す。なお、第１の実施の形態に係る展示物接触認識装置１０と同一の構成要素には同一の参照符号を付して、その詳細な説明を省略する。
【００３０】
この第２の実施の形態においては、鳥の剥製の展示物に対応するレプリカの種類、数および展示方法を点字で表示する表示板に代って音声で説明するようにした点に特徴がある。すなわち、視覚障害者５２が展示室１２に入り、手すり１６に取着された押しボタンスイッチ５４を押すと、音声表示装置（表示機器）５６により展示室１２に陳列される鳥の剥製の展示物に対応する鳥像の種類、陳列方法等の説明と、鳥の生息地帯を環境音で表示するとともに鳥像２６ａ〜２６ｆが山里、川および海の生息地帯に分けて展示されていることを理解することができる。
【００３１】
鳥像２６ａ〜２６ｆに対応して手すり１６に取着された押しボタンスイッチ５８ａ〜５８ｆ（図６〜図８では５８ａのみを表示）が取着される。前記押しボタンスイッチ５８ａ〜５８ｆを押すと解説装置６０ａ〜６０ｆ（図６〜図８では６０ａのみを表示）が作動し、鳥像２６ａ〜２６ｆの鳴き声とその鳴き声の解説および鳥像２６ａ〜２６ｆにまつわる解説をスピーカー３８ａ〜３８ｆ（図６、図７では３８ａのみを表示）を介して聞くことができる。前記解説装置６０ａ〜６０ｆは、台座２８ａ〜２８ｆに内蔵されている。
【００３２】
参照符号６２（図５参照）は手すり１６に取着された押しボタンスイッチを示し、該押しボタンスイッチ６２を押すと音声表示装置（図示しない）により次の展示室（図示せず）の案内の説明がなされる。
【００３３】
この第２の実施の形態に係る展示物接触認識装置５０によれば、押しボタンスイッチ５４、５８ａ〜５８ｆを操作して展示室１２の案内、鳥像２６ａ〜２６ｆの解説を聞くことができ、さらに鳥像２６ａ〜２６ｆ、解説板３２ａ〜３２ｆに触って該鳥像２６ａ〜２６ｆの形状、大きさ等を学習することができる。また、健常者も押しボタンスイッチ５４、５８ａ〜５８ｆを操作して、鳥像２６ａ〜２６ｆについて学習することができる。
【００３４】
【発明の効果】
本発明によれば、視覚障害者が動物の鳴き声、その動物に関連する解説、例えば、形状、大きさ、生息地、種、目、渡り、子育て等の情報を聞いて、該動物を認識することができる。このため、動物への理解をさらに深め、また川に棲む動物、海に棲む動物、地上の動物等、体系的に学習できるという利点がある。
【００３５】
さらに、木彫、樹脂製の動物のレプリカは彩色を施すことにより、健常者が視覚障害者に対してレプリカをより詳細に説明することができ、さらには健常者と視覚障害者が、ともに動物について学習する機会が得られる。
【００３６】
さらに、動物のレプリカと、前記レプリカに対応する音声表示装置、解説板を搬出可能な筐体に収納することにより、学習する場所が限定されず、自宅での学習はもとより、図書館、福祉施設等で貸借することも可能である。
【００３７】
また、複数の動物のレプリカを異なる種類の動物のレプリカに対応させて設けておけば、多くの種類の動物についてまとめて学習することが可能になるばかりか、その差異についての認識も容易となる。
【００３８】
さらにまた、一種類の動物に対し、成長課程を表す一連の複数のレプリカを設けることより、その動物の一生の形態の変化等の学習を行うことができ、一層効果的である。
【００３９】
これにより、多くの動物に対しても一度に学習する機会が得られるので、動物の世界を広く知ることができる。
【図面の簡単な説明】
【図１】本発明の第１の実施の形態に係る展示物接触認識装置を博物館等の展示室に配置した概略斜視図である。
【図２】本発明の第１の実施の形態に係る展示物接触認識装置の概略斜視図である。
【図３】図２の要部平面図である。
【図４】図２の側面図である。
【図５】本発明の第２の実施の形態に係る展示物接触認識装置を博物館等の展示室に配置した概略斜視図である。
【図６】本発明の第２実施の形態に係る展示物接触認識装置の概略斜視図である。
【図７】図６の要部平面図である。
【図８】図７の側面図である。
【符号の説明】
１０、５０…展示物接触認識装置    １２…展示室
１４…展示ケース                  １６…手すり
１８…床面                        ２０…支柱
２２、５２…視覚障害者            ２４ａ〜２４ｃ…表示板
２６ａ〜２６ｆ…鳥像              ２８ａ〜２８ｆ…台座
３０ａ〜３０ｆ…上板              ３２ａ〜３２ｆ…解説板
３４ａ〜３４ｆ…鳴き声発声装置
３６ａ〜３６ｆ、６０ａ〜６０ｆ…解説装置
３８ａ〜３８ｆ…スピーカー        ４０ａ〜４０ｆ…鳴き声スイッチ
４２ａ〜４２ｆ…解説スイッチ
５４、５８ａ〜５８ｆ、６２…押しボタンスイッチ
５６…音声表示装置
【図１】
0003984797.tif 000002
【図２】
0003984797.tif 000003
【図３】
0003984797.tif 000004
【図４】
0003984797.tif 000005
【図５】
0003984797.tif 000006
【図６】
0003984797.tif 000007
【図７】
0003984797.tif 000008
【図８】
0003984797.tif 000009